(57)【特許請求の範囲】
【請求項１】
外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を有し、
前記携帯端末及び前記表示装置は、
前記インタフェースを介した前記携帯端末と前記表示装置との接続時、少なくとも前記携帯端末の状態を設定するための設定項目を含む設定画面を表示し、前記ユーザによる前記設定画面を用いた該携帯端末の設定変更を可能にし、
前記携帯端末と前記表示装置とに共通の設定項目がある場合、前記表示装置の該設定項目の設定値を前記携帯端末の設定値に一致させる設定システム。
【請求項２】
外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を有し、
前記携帯端末及び前記表示装置は、
前記インタフェースを介した前記携帯端末と前記表示装置との接続時、少なくとも前記携帯端末の状態を設定するための設定項目を含む設定画面を表示し、前記ユーザによる前記設定画面を用いた該携帯端末の設定変更を可能にし、
前記携帯端末と前記表示装置とに共通の設定項目がある場合、前記携帯端末の該設定項目の設定値を前記表示装置の設定値に一致させる設定システム。
【請求項３】
外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を有し、
前記携帯端末及び前記表示装置は、
前記インタフェースを介した前記携帯端末と前記表示装置との接続時、少なくとも前記携帯端末の状態を設定するための設定項目を含む設定画面を表示し、前記ユーザによる前記設定画面を用いた該携帯端末の設定変更を可能にし、
前記表示装置は、
接続可能な異なる携帯端末毎の設定値をそれぞれ保存し、
前記携帯端末は、
接続可能な異なる表示装置毎の設定値をそれぞれ保存する設定システム。
【請求項４】
前記携帯端末は、
前記表示装置との接続時、予め決められた設定項目を予め決められた設定値に設定する請求項１から３のいずれか１項記載の設定システム。
【請求項５】
前記設定画面に含まれる設定項目は、予め前記ユーザの操作により選択可能である請求項１から４のいずれか１項記載の設定システム。
【請求項６】
前記携帯端末は、
前記表示装置との接続状態から切断されると、前記表示装置と接続する前の設定値に戻す請求項１から５のいずれか１項記載の設定システム。
【請求項７】
前記設定画面に、
前記携帯端末の表示画像のアスペクト比を維持しつつ前記表示装置に拡大表示させるための設定項目を含む請求項１から６のいずれか１項記載の設定システム。
【請求項８】
前記インタフェースは、
前記表示装置に前記携帯端末を収容することで該表示装置と該携帯端末とを情報の送受信が可能に接続する構成であり、
前記携帯端末は、
前記表示装置に収容されることで使用不能になる、該携帯端末が備える機能を無効化する請求項１から７のいずれか１項記載の設定システム。
【請求項９】
外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を前記インタフェースを介して接続するときに前記携帯端末の状態を設定するための設定方法であって、
前記携帯端末及び前記表示装置が、
前記インタフェースを介した前記携帯端末と前記表示装置との接続時、少なくとも前記携帯端末の状態を設定するための設定項目を含む設定画面を表示し、前記ユーザによる前記設定画面を用いた該携帯端末の設定変更を可能にし、
前記携帯端末と前記表示装置とに共通の設定項目がある場合、前記表示装置の該設定項目の設定値を前記携帯端末の設定値に一致させる設定方法。
【請求項１０】
外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を前記インタフェースを介して接続するときに前記携帯端末の状態を設定するための設定方法であって、
前記携帯端末及び前記表示装置が、
前記インタフェースを介した前記携帯端末と前記表示装置との接続時、少なくとも前記携帯端末の状態を設定するための設定項目を含む設定画面を表示し、前記ユーザによる前記設定画面を用いた該携帯端末の設定変更を可能にし、
前記携帯端末と前記表示装置とに共通の設定項目がある場合、前記携帯端末の該設定項目の設定値を前記表示装置の設定値に一致させる設定方法。
【請求項１１】
外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を前記インタフェースを介して接続するときに前記携帯端末の状態を設定するための設定方法であって、
前記携帯端末及び前記表示装置が、
前記インタフェースを介した前記携帯端末と前記表示装置との接続時、少なくとも前記携帯端末の状態を設定するための設定項目を含む設定画面を表示し、前記ユーザによる前記設定画面を用いた該携帯端末の設定変更を可能にし、
前記表示装置が、
接続可能な異なる携帯端末毎の設定値をそれぞれ保存し、
前記携帯端末が、
接続可能な異なる表示装置毎の設定値をそれぞれ保存する設定方法。
【発明の詳細な説明】
【技術分野】
【０００１】
本発明は携帯端末の状態を設定する設定システム及び方法に関する。
【背景技術】
【０００２】
近年、電話機能と情報処理機能とを備えた、いわゆるスマートフォンと呼ばれる高機能な携帯端末が普及してきている。スマートフォンは、小型、軽量であり、携帯し易い利点があるが、例えばテレビジョン放送や動画像を視聴する等、より大きい画面を利用したい場合がある。
【０００３】
その場合、スマートフォンを、該スマートフォンよりも画面サイズが大きい、例えば据え置き型、ノート型、タブレット型等のパーソナルコンピュータ、あるいはテレビジョン受像機と接続し、スマートフォンの表示画像をそれらの画面に表示させる方法が考えられる。
【０００４】
なお、携帯端末の情報をより大きな画面に表示することは、例えば特許文献１にも記載されている。特許文献１では、スロットマシン等の遊技機で遊戯中のユーザの携帯端末へ着信があった場合に、該着信を通知すると共に該着信に対する応答メッセージ等を遊技機の画面上で選択可能にした構成が記載されている。
【先行技術文献】
【特許文献】
【０００５】
【特許文献１】特開２００８−０００３２５号公報
【発明の概要】
【発明が解決しようとする課題】
【０００６】
上述したように、スマートフォンを、例えばタブレット型のパーソナルコンピュータ（以下、タブレット装置と称す）と接続し、該タブレット装置の画面でテレビジョン放送や動画像等を視聴する場合、スマートフォンがマナーモード（バイブレーションモード、サイレントモードと呼ばれることもある）に設定されていると、該スマートフォンから音声信号が出力されずにタブレット装置等から音声が出力されない場合がある。そのような場合、例えばタブレット装置等へ接続する前、あるいは接続した後にスマートフォンの設定を変更（マナーモードの解除）する必要がある。
【０００７】
また、スマートフォンとタブレット装置等とは、画面サイズが異なるだけでなく画面解像度も異なることが多い。その場合、接続する機器（タブレット装置等）の画面サイズや画面解像度等に合わせて、該機器に表示させる表示画像の大きさをスマートフォンで設定することが望ましい。
【０００８】
なお、タブレット装置には、ケーブル等を用いてスマートフォンと接続する構成だけではなく、例えばスマートフォンを内部に収容することで該スマートフォンとの接続を可能にしたインタフェース機構を備えた構成もある。そのような構成では、スマートフォンが備えるタッチパネル等の入力部、電話機として利用するのに必要なレシーバ、スピーカ、マイク、あるいは各種センサー等のハードウェアリソースを利用できないため、接続後にスマートフォンの入力部を用いた設定が困難になる。その場合、接続前にスマートフォンの設定を変更しておくか、接続後にタブレット装置の入力部を用いてスマートフォンの設定を変更する必要がある。
【０００９】
しかしながら、例えば上記表示画像の大きさのように、予めスマートフォンで設定しておくことが困難な設定値もある。通常、スマートフォンよりも画面サイズが大きい機器は、スマートフォンとハードウェアリソースが異なり、その仕様も様々なものがあるため、接続可能な各種の機器の仕様を想定して予めスマートフォンの設定値を決めることは困難である。一方、接続後にタブレット装置等を用いてスマートフォンの設定を変更する場合でも、変更が必要なスマートフォンの設定項目をタブレット装置でそれぞれ呼び出し、設定項目毎に変更後の設定値をタブレット装置に入力し、該入力値をタブレット装置からスマートフォンへ通知して設定値を変更させる必要があり、設定操作が煩雑になる。
【００１０】
したがって、スマートフォンを、該スマートフォンよりも画面サイズが大きい機器と接続して利用する場合、接続前にスマートフォンの設定を変更しておく不便があり、接続後にスマートフォンの設定を変更する場合でも設定操作が煩雑になるという問題がある。
【００１１】
本発明は上述したような背景技術が有する問題点を解決するためになされたものであり、接続前に携帯端末の設定を変更しておく不便が解消され、接続後の煩雑な設定操作を解消できる設定システム及び方法を提供することを目的とする。
【課題を解決するための手段】
【００１２】
上記目的を達成するため本発明の設定システムは、外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を有し、
前記携帯端末及び前記表示装置は、
前記インタフェースを介した前記携帯端末と前記表示装置との接続時、少なくとも前記携帯端末の状態を設定するための設定項目を含む設定画面を表示し、前記ユーザによる前記設定画面を用いた該携帯端末の設定変更を可能にし、
前記携帯端末と前記表示装置とに共通の設定項目がある場合、前記表示装置の該設定項目の設定値を前記携帯端末の設定値に一致させる。
または、外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を有し、
前記携帯端末及び前記表示装置は、
前記インタフェースを介した前記携帯端末と前記表示装置との接続時、少なくとも前記携帯端末の状態を設定するための設定項目を含む設定画面を表示し、前記ユーザによる前記設定画面を用いた該携帯端末の設定変更を可能にし、
前記携帯端末と前記表示装置とに共通の設定項目がある場合、前記携帯端末の該設定項目の設定値を前記表示装置の設定値に一致させる。
または、外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を有し、
前記携帯端末及び前記表示装置は、
前記インタフェースを介した前記携帯端末と前記表示装置との接続時、少なくとも前記携帯端末の状態を設定するための設定項目を含む設定画面を表示し、前記ユーザによる前記設定画面を用いた該携帯端末の設定変更を可能にし、
前記表示装置は、
接続可能な異なる携帯端末毎の設定値をそれぞれ保存し、
前記携帯端末は、
接続可能な異なる表示装置毎の設定値をそれぞれ保存する。
【００１３】
一方、本発明の設定方法は、外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を前記インタフェースを介して接続するときに前記携帯端末の状態を設定するための設定方法であって、
前記携帯端末及び前記表示装置が、
前記インタフェースを介した前記携帯端末と前記表示装置との接続時、少なくとも前記携帯端末の状態を設定するための設定項目を含む設定画面を表示し、前記ユーザによる前記設定画面を用いた該携帯端末の設定変更を可能にし、
前記携帯端末と前記表示装置とに共通の設定項目がある場合、前記表示装置の該設定項目の設定値を前記携帯端末の設定値に一致させる方法である。
または、外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を前記インタフェースを介して接続するときに前記携帯端末の状態を設定するための設定方法であって、
前記携帯端末及び前記表示装置が、
前記インタフェースを介した前記携帯端末と前記表示装置との接続時、少なくとも前記携帯端末の状態を設定するための設定項目を含む設定画面を表示し、前記ユーザによる前記設定画面を用いた該携帯端末の設定変更を可能にし、
前記携帯端末と前記表示装置とに共通の設定項目がある場合、前記携帯端末の該設定項目の設定値を前記表示装置の設定値に一致させる方法である。
または、外部機器と情報の送受信を可能に接続するインタフェースを備えた携帯端末と、
前記携帯端末と情報の送受信を可能に接続する前記インタフェース、前記携帯端末よりも画面サイズが大きい表示部及びユーザによる情報入力を可能にする入力部を備えた表示装置と、
を前記インタフェースを介して接続するときに前記携帯端末の状態を設定するための設定方法であって、
前記携帯端末及び前記表示装置が、
前記インタフェースを介した前記携帯端末と前記表示装置との接続時、少なくとも前記携帯端末の状態を設定するための設定項目を含む設定画面を表示し、前記ユーザによる前記設定画面を用いた該携帯端末の設定変更を可能にし、
前記表示装置が、
接続可能な異なる携帯端末毎の設定値をそれぞれ保存し、
前記携帯端末が、
接続可能な異なる表示装置毎の設定値をそれぞれ保存する方法である。
【発明の効果】
【００１４】
本発明によれば、接続前に携帯端末の設定を変更しておく不便が解消され、接続後の煩雑な設定操作が解消される。
【図面の簡単な説明】
【００１５】
【図１】本発明の設定システムの一構成例を示すブロック図である。
【図２（ａ）】図１に示した携帯端末の一構成例を示すブロック図である。
【図２（ｂ）】図１に示した表示装置の一構成例を示すブロック図である。
【図３】図１に示した設定システムの処理手順の一例を示すフローチャートである。
【図４】第１実施例の設定方法の処理手順を示すシーケンス図である。
【図５】第２実施例の設定方法の処理手順を示すシーケンス図である。
【図６】第２実施例の設定処理の一例を示すシーケンス図である。
【図７】設定処理の変形例を示すシーケンス図である。
【図８】本発明が適用可能な表示装置の一例を示す平面図である。
【図９】図８に示した表示装置に収容可能な携帯端末の一例を示す平面図である。
【図１０】図８に示した表示装置に図９に示した携帯端末を収容した様子を示す平面図である。
【図１１】図８に示した表示装置に図９に示した携帯端末を収容した様子を示す平面図である。
【発明を実施するための形態】
【００１６】
次に本発明について図面を用いて説明する。
【００１７】
図１は、本発明の設定システムの一構成例を示すブロック図である。
【００１８】
図１に示すように、本発明の設定システムは、携帯端末１００と、該携帯端末１００よりも画面サイズが大きい表示部及びタッチパネルや入力キー等の入力部を備えた表示装置２００とを有する。携帯端末１００と表示装置２００とは、ケーブル等により携帯端末１００と表示装置２００間で各種のデータが送受信可能に接続される。
【００１９】
携帯端末１００としては、例えば周知の電話機の機能とＰＤＡ（Personal Data AssistanceまたはPersonal Digital Assistants：個人向け携帯型情報通信機器）の機能をそれぞれ備えた、スマートフォンと呼ばれる携帯電話機がある。
【００２０】
表示装置２００としては、例えばノート型、据え置き型、タブレット型等のパーソナルコンピュータ、あるいはリモートコントローラ等を用いて文字、記号、情報等の入力が可能なテレビジョン受像機等がある。
【００２１】
携帯端末１００と表示装置２００とは、例えば映像や音声を送受信するためのＨＤＭＩ（High-Definition Multimedia Interface）や外部機器とデータを送受信するためのＵＳＢ（Universal Serial Bus）等の周知のインタフェース方式、あるいは専用のインタフェース回路を介して接続される。
【００２２】
図２（ａ）は、図１に示した携帯端末の一構成例を示すブロック図である。
【００２３】
図２（ａ）に示すように、本実施形態の携帯端末１００は、ＣＰＵ１０、ＲＯＭ１１、作業用メモリ１２、不揮発メモリ２４、無線機送受信部１３、ＬＥＤ部１４、バイブレータ１５、キー入力部１６、表示部１９、表示制御部１８、マイク２０、スピーカ２１、レシーバ２２、電源制御部２３及び外部出力部２５を備え、それらがバス３０を介して互いに接続された構成である。表示制御部１８には表示部１９が接続され、電源制御部２３には携帯端末１００に所要の電力を供給する主電源である二次電池１０１が接続され、外部出力部２５には図１に示した表示装置２００が接続される。
【００２４】
ＲＯＭ（Read Only Memory）１１は、ＣＰＵ１０によって各種の処理を実行するための制御用プログラムが格納された不揮発性のメモリである。ＣＰＵ１０は、ＲＯＭ１１に格納された制御用プログラムにしたがって処理を実行することで、例えば周知のスマートフォンとしての機能を実現すると共に、後述する本発明の設定システムが備える携帯端末１００としての機能を実現する。
【００２５】
作業用メモリ１２は、ＣＰＵ１０による制御用プログラムにしたがった処理で必要なデータを一時的に保持する。作業用メモリ１２には、例えばＲＡＭ（Random Access Memory）が用いられる。
【００２６】
不揮発メモリ２４は、電話帳データ、各種設定値、ユーザーデータ等が格納される、記憶内容が書き換え可能な不揮発性のメモリである。
【００２７】
無線機送受信部１３は、無線通信により音声や画像等の各種データを送受信するための周知の無線回路である。
【００２８】
ＬＥＤ部１４は、例えば異なる色で発光する複数のＬＥＤ（Light Emitting Diode）を備え、各ＬＥＤの点滅パターン等を変更することで着信や電子メールの受信等をユーザへ通知するために用いられる電子部品である。
【００２９】
バイブレータ１５は、音に代わって振動により携帯端末１００に対する着信や電子メールの受信等をユーザへ通知するために用いられる電子部品である。
【００３０】
表示部１９は、ＣＰＵ１０から供給される画像情報や映像信号にしたがって画像を表示する、液晶ディスプレイや有機ＥＬパネル等である。表示部１９の表示面上には、表示された画像に基づいて、文字、数字、記号等の情報を携帯端末１００に入力するためのタッチパネルが設置されていてもよい。
【００３１】
表示制御部１８は、表示部１９に画像や映像を表示させるための制御を行う制御回路である。
【００３２】
キー入力部１６は、電源のＯＮ／ＯＦＦや各種設定に必要なハードウェアによる入力キー、あるいはタッチパネル等を用いてユーザが入力した、文字、数字、記号、指示等の情報を受け付ける入力回路である。
【００３３】
マイク２０、スピーカ２１、レシーバ２２は、携帯端末１００を電話機として利用する際に使用される音声通話用の音響部品である。送話者の音声はマイク２０により入力され、相手話者の音声はスピーカ２１またはレシーバ２２から出力される。
【００３４】
電源制御部２２１は、携帯端末１００に対する二次電池１０１による電源供給を制御する。
【００３５】
外部出力部２５は、ＵＳＢやＨＤＭＩ等に対応したコネクタを備え、表示装置２００とデータの送受信が可能に接続するインタフェース回路である。外部出力部２５は、上述したように図１に示した表示装置２００と接続するための専用のインタフェース回路を備えていてもよい。
【００３６】
図２（ｂ）は、図１に示した表示装置の一構成例を示すブロック図である。
【００３７】
図２（ｂ）に示すように、本実施形態の表示装置２００は、ＣＰＵ２１０、ＲＯＭ２１１、作業用メモリ２１２、不揮発メモリ２１３、外部インタフェース部２１４、キー入力部２１５、表示部２１７、表示制御部２１６、マイク２１８、スピーカ２１９、バイブレータ２２０及び電源制御部２２１を備え、それらがバス２３０を介して互いに接続された構成である。表示制御部２１６には表示部２１７が接続され、電源制御部２２１には表示装置２００に所要の電力を供給する主電源である不図示の二次電池が接続され、外部インタフェース部２１４には、例えば図２に示した携帯端末１００が接続される。
【００３８】
ＲＯＭ２１１は、ＣＰＵ２１０によって各種の処理を実行するための制御用プログラムが格納された不揮発性のメモリである。ＣＰＵ２１０は、ＲＯＭ２１１に格納された制御用プログラムにしたがって処理を実行することで、例えばパーソナルコンピュータやテレビジョン受像機としての機能を実現すると共に、後述する本発明の設定システムが備える表示装置２００としての機能を実現する。
【００３９】
作業用メモリ２１２は、ＣＰＵ２１０による制御用プログラムにしたがった処理で必要なデータを一時的に保持する。作業用メモリ２１２には、例えばＲＡＭが用いられる。
【００４０】
不揮発メモリ２２３は、各種設定値、ユーザーデータ等が格納される、記憶内容が書き換え可能な不揮発性のメモリである。
【００４１】
外部インタフェース部２１４は、外部機器と接続するためのＵＳＢや画像や音声等を送受信するＨＤＭＩ等に対応したコネクタを備え、様々な機器との接続を可能にする。表示装置２００は、図２（ａ）に示した携帯端末１００とも外部インタフェース部２１４を介して接続される。なお、外部インタフェース部２１４には、上述したように図２に示した携帯端末１００と接続するための専用のインタフェース回路を備えていてもよい。
【００４２】
表示部２１７は、ＣＰＵ２１０から供給される画像情報や映像信号にしたがって画像を表示する、液晶ディスプレイや有機ＥＬパネル等である。表示部２１７の表示面上には、表示された画像に基づいて、文字、数字、記号等の情報を表示装置２００に入力するためのタッチパネルが設置されていてもよい。
【００４３】
表示制御部２１６は、表示部２１７に画像や映像を表示させるための制御を行う制御回路である。
【００４４】
キー入力部２１５は、電源のＯＮ／ＯＦＦや各種設定に必要なハードウェアによる入力キー、あるいはタッチパネル等を用いてユーザが入力した、文字、数字、記号、指示等の情報を受け付ける入力回路である。
【００４５】
マイク２１８は表示装置２００に音声を入力するときに用いられる音響部品である。
【００４６】
スピーカ２１９は、映像や音楽等のマルチメディア再生時に音声を出力する。
【００４７】
バイブレータ２２０は、音に代わって振動により表示装置２００の状態等をユーザへ通知するために用いられる電子部品である。
【００４８】
電源制御部２２１は、表示装置２００に対する二次電池（不図示）による電源供給を制御する。
【００４９】
図２（ｂ）は、電話機能を備えていない表示装置２００の構成例を示しているが、表示装置２００には、図２（ａ）に示した携帯端末１００と同様に無線機送受信部を有することで、電話機能を備えていてもよい。
【００５０】
図３は、図１に示した設定システムの処理手順の一例を示すフローチャートである。
【００５１】
図３に示す設定システムの処理は、携帯端末１００が備えるＣＰＵ１０がＲＯＭ１１に格納された制御用プログラムにしたがって処理を実行し、表示装置２００が備えるＣＰＵ２１０がＲＯＭ２１１に格納された制御用プログラムにしたがって処理を実行することで実現される。
【００５２】
図３に示すように、携帯端末１００と表示装置２００とを接続し、携帯端末１００と表示装置２００間のインタフェース方式に対応した所定の接続処理が完了すると（ステップＳ１）、携帯端末１００はユーザによる携帯端末１００の状態を設定するための各種の設定項目を含む設定画面を表示部１９に表示する（ステップＳ２）。また、携帯端末１００は、表示部１９に該設定画面を表示させるための表示データを、外部出力部２５を介して表示装置２００へ送信する。表示装置２００は、携帯端末１００から受信した表示データにしたがって表示部２１７に携帯端末１００用の設定画面を表示する。このとき、携帯端末１００は表示装置２００の状態を設定するための各種の設定項目を含む設定画面も表示してもよい。また、表示装置２００は、表示装置２００の状態を設定するための各種の設定項目を含む設定画面も表示してよい。本実施形態では、少なくとも携帯端末１００用の設定画面を携帯端末１００及び表示装置２００で表示すればよい。
【００５３】
携帯端末１００の表示部１９に表示された設定画面または表示装置２００の表示部２１７に表示された設定画面を用いて、ユーザの操作により携帯端末１００または表示装置２００の任意の設定項目の設定値が変更されると、携帯端末１００の変更後の設定値は不揮発メモリ２４に保存され、表示装置２００の変更後の設定値は不揮発メモリ２１３に保存される（ステップＳ３）。ここで、表示装置２００の表示部２１７に表示された設定画面に基づいて携帯端末１００の設定値が変更された場合、該変更後の設定値は携帯端末１００へ通知される。また、携帯端末１００の表示部１９に表示された設定画面に基づいて表示装置２００の設定値が変更された場合、該変更後の設定値は表示装置２００へ通知される。ステップＳ３で携帯端末１００及び表示装置２００の設定変更が無い場合はステップＳ４の処理へ移行する。
【００５４】
ユーザによる設定操作が完了すると、該操作完了を示す情報が携帯端末１００及び表示装置２００へ通知される。ここで、表示装置２００の表示部２１７に表示された設定画面に基づいて携帯端末１００へ設定完了が通知された場合、携帯端末１００は表示装置２００から通知された設定値にしたがって自装置の設定項目の設定値を変更する。また、携帯端末１００の表示部１９に表示された設定画面に基づいて表示装置２００へ設定完了が通知された場合、表示装置２００は携帯端末１００から通知された設定値にしたがって自装置の設定項目の設定値を変更する。その後、携帯端末１００及び表示装置２００は設定画面の表示を終了する（ステップＳ４）。
【００５５】
本実施形態の設定システムによれば、携帯端末１００と表示装置２００の接続時に少なくとも携帯端末１００用の設定画面をそれぞれ自動で表示することで、携帯端末１００を表示装置２００に接続して利用する場合に、ユーザは携帯端末１００の各種の設定項目を容易に変更できる。そのため、表示装置２００と接続する前に携帯端末１００の設定値を変更しておく不便が解消され、接続後の携帯端末１００の煩雑な設定操作も解消される。
【００５６】
以下、本発明の実施例について図面を用いて説明する。
（第１実施例）
図４は、第１実施例の設定方法の処理手順を示すシーケンス図である。
【００５７】
図４は、マナーモードに設定された（マナーモードＯＮ）携帯端末１００を表示装置２００と接続し、表示装置２００に表示された設定画面を用いて携帯端末１００のマナーモードを解除（マナーモードＯＦＦ）する場合の処理手順の一例を示している。
【００５８】
図４に示すように、携帯端末１００と表示装置２００とを接続し、それらの接続処理が完了すると、表示装置２００は自装置を識別するための情報（識別情報）を携帯端末１００へ送信する。
【００５９】
携帯端末１００は、接続された表示装置２００に対応して予め決められた設定項目を含む設定画面を表示すると共に、その設定画面用の表示データを表示装置２００へ送信する。表示装置２００は、携帯端末１００から受信した表示データにしたがって表示部２１７に設定画面を表示する。このとき、携帯端末１００で表示する設定画面と表示装置２００で表示する設定画面とは同じであってもよく、異なっていてもよい。
【００６０】
ユーザが、例えば表示装置２００の設定画面にしたがって任意の設定項目に対応する変更後の設定値を入力すると、表示装置２００は該入力された値（入力情報）を携帯端末１００へ送信する。また、表示装置２００は、ユーザが設定完了を示す情報（設定完了情報）を入力すると、該設定完了情報を携帯端末１００へ送信する。携帯端末１００は、表示装置２００から送信された入力情報に基づいて携帯端末１００の各設定項目の値を変更する（設定処理）。例えばユーザからマナーモードの解除（マナーモードＯＦＦ）が指示されている場合、携帯端末１００はマナーモードをＯＦＦにして音声出力を可能にする（音声出力許容）と共に、バイブレータ１５による振動通知をＯＦＦにする。また、入力情報に表示装置２００の設定項目が含まれている場合、該設定項目の変更を指示する設定情報を表示装置２００へ送信する。
【００６１】
表示装置２００は、携帯端末１００の指示にしたがって表示装置２００の設定項目を変更する。例えば表示装置２００による音声出力を可能にする（音声出力許容）と共に、バイブレータ２２０による振動通知をＯＦＦにする。
【００６２】
その後、携帯端末１００で音声再生が開始されると、携帯端末１００から表示装置２００へ音声データが送信され、表示装置２００で該音声データにしたがって音声が出力される。
【００６３】
なお、表示装置２００がスピーカを備えていない場合、音声は携帯端末１００のスピーカ２１で出力してもよい。表示装置２００がスピーカ２１９を備えている場合、音声は表示装置２００のスピーカ２１９のみ出力してもよく、外部出力部２５及び外部インタフェース部２１４を経由することによる音声出力の遅延が無視できる程度であれば、携帯端末１００及び表示装置２００の両方のスピーカから出力してもよい。
（第２実施例）
次に本発明の第２実施例について図５及び図６を用いて説明する。
【００６４】
図５は第２実施例の設定方法の処理手順を示すシーケンス図であり、図６は第２実施例の設定処理の一例を示すシーケンス図である。
【００６５】
上述した第１実施例では、携帯端末１００を表示装置２００と接続したとき、携帯端末１００は表示装置２００へ設定画面用の表示データを送信し、表示装置２００は設定画面にしたがってユーザが入力した入力情報を携帯端末１００へ返送する例を示した。すなわち、第１実施例では、表示装置２００はユーザが入力した値（入力情報）を携帯端末１００へ送信しているだけであり、携帯端末１００は該入力情報にしたがって自機の設定値を変更している。
【００６６】
第２実施例の表示装置２００は、携帯端末１００の接続を検出すると、該携帯端末１００の設定変更を行うための予め決められた設定画面を表示する。表示装置２００の設定画面にしたがってユーザにより設定値が入力されると、表示装置２００はその設定情報を携帯端末１００へ送信し、携帯端末１００は該設定情報にしたがって自機の設定値を変更する。すなわち、第２実施例では、携帯端末１００の設定変更を表示装置２００の指示で実行する。
【００６７】
図５に示すように、表示装置２００は、接続処理の完了後に携帯端末１００の接続を検出し、携帯端末１００から送信される、該携帯端末１００を識別するための情報（識別情報）を受信すると、該携帯端末１００に対応する、予め決められた設定項目を含む携帯端末１００用の設定画面を表示する。
【００６８】
表示装置２００の設定画面にしたがってユーザが設定値を入力すると、表示装置２００は該設定値（設定情報）を携帯端末１００へ送信する。また、表示装置２００は、ユーザが設定完了を示す情報を入力すると（設定完了）、該設定完了情報を携帯端末１００へ送信する。
【００６９】
携帯端末１００は、表示装置２００から送信された設定情報に基づいて対応する設定項目の値を変更する（設定処理）。なお、表示装置２００の設定画面に該表示装置２００用の設定項目が含まれている場合、表示装置２００は、該設定項目の設定値は携帯端末１００へ送信せず、該設定値にしたがって自機の設定項目を変更する。
【００７０】
ところで、第１実施例では、設定処理として携帯端末１００のマナーモードを解除する例を示したが、表示装置２００で音声が出力可能であれば、携帯端末１００のマナーモードは必ずしも解除する必要はない。
【００７１】
マナーモードに設定された携帯端末１００を表示装置２００と接続し、該表示装置２００で音声を出力させたい場合、例えば図６に示すように表示装置２００を音声出力許容及びバイブレータ振動通知ＯＦＦに設定し、携帯端末１００をマナーモードの一部の機能のみＯＦＦ（バイブレータ１５による振動通知のみＯＦＦ）に設定してもよい。これらは、例えば表示装置２００の設定画面にしたがってユーザにより設定されるものとする。
【００７２】
この場合、携帯端末１００は、音声を出力しない（音声出力禁止）マナーモードＯＮの状態を維持しつつ、携帯端末１００による音声再生が開始されると、表示装置２００へ音声データを送信する。なお、携帯端末１００のバイブレータによる振動通知をＯＦＦさせる命令は、音声再生時等の必要時にのみ表示装置２００から携帯端末１００へ送信してもよい。
【００７３】
なお、上述した第１実施例及び第２実施例では、携帯端末１００と表示装置２００に共通の設定項目がある場合、該設定項目について表示装置２００の設定値を携帯端末１００の設定値に一致させる、すなわち携帯端末１００の設定値を優先する例を示したが、表示装置２００の設定値を優先してもよい。すなわち、携帯端末１００と表示装置２００とに共通の設定項目がある場合、該設定項目について携帯端末１００の設定値を表示装置２００の設定値に一致させてもよい。表示装置２００と携帯端末１００とは、どちらの設定値を優先してもよく、予め優先順位を設定しておけばよい。
【００７４】
例えば、図７に示すように、表示装置２００が音声出力禁止に設定され、バイブレータ２２０による振動通知がＯＮに設定されている場合、携帯端末１００のマナーモードが解除されると、携帯端末１００は表示装置２００へ音声出力許容及びバイブレータＯＦＦの設定値を送信する。この場合、表示装置２００は、自機の設定値を優先して、設定変更不可（応答Ｎｏ）を携帯端末１００へ通知する。
【００７５】
携帯端末１００は、音声出力禁止を維持しつつバイブレータ１５による振動をＯＦＦに設定し、例えば着信時等で表示装置２００へバイブレータ２２０を用いて振動通知させるためのデータ（振動ＯＮデータ）のみ送信する。
【００７６】
また、上述した第１実施例及び第２実施例では、設定画面に表示された各設定項目についてユーザの操作により設定する例を示したが、携帯端末１００と表示装置２００の接続時、予め決められた設定項目については予め決められた設定値に設定してもよい。例えばマナーモードに設定された携帯端末１００を表示装置２００と接続し、携帯端末１００で受信したテレビジョン信号や動画像データを表示装置２００で出力する場合、そのままでは表示装置２００で視聴中のテレビジョン映像や動画像の音声が出力されない。この場合、携帯端末１００は、表示装置２００との接続時にマナーモードを自動的に解除してもよい。このように携帯端末１００の設定項目には、表示装置２００との接続時に自動で設定または変更される設定項目を設けてもよい。
【００７７】
また、携帯端末１００と表示装置２００の接続時、自動で表示する設定画面に含まれる設定項目は、予めユーザの操作により選択可能（カスタマイズ可能）にしてもよい。
【００７８】
また、携帯端末１００と表示装置２００の接続を切り離した場合、携帯端末１００の設定値を接続前の設定値に自動で戻してもよい。
【００７９】
上述したように、表示装置２００は、携帯端末１００と画面サイズだけでなく画面解像度が異なる場合がある。携帯端末１００よりもドットピッチが小さい（高解像度な）表示装置２００では、携帯端末１００よりも画面サイズが大きくても、画像を拡大せずに表示すると、携帯端末１００よりも小さく表示されてしまう。したがって、設定画面には、携帯端末１００の表示画面のアスペクト比を維持して表示装置２００では拡大して表示する等の、画面拡大を可能にする設定項目を設けてもよい。
【００８０】
さらに、同一の表示装置２００に異なる携帯端末１００を接続する場合を考慮して、表示装置２００は各携帯端末１００に対応する設定値をそれぞれ保存してもよい。また、同一の携帯端末１００を異なる表示装置２００に接続することを想定して、携帯端末１００は各表示装置２００に対応する設定値をそれぞれ保存してもよい。ここで、「異なる」とは、機種が異なる場合、画面解像度等の仕様が異なる場合、携帯端末１００や表示装置２００の個体が異なる場合等を指す。
【００８１】
なお、表示装置２００には、図１に示したようにケーブル等を用いて携帯端末１００と接続する構成だけでなく、例えば図８に示すタブレット装置のように収容部を備え、図９に示す携帯端末１００を図１０や図１１に示すように該収容部に収容することで、該携帯端末１００との接続を可能にするインタフェースを備えた構成もある。本発明はこのような携帯端末１００を収容可能な収容部を備えた表示装置２００に適用しても同様の効果を得ることができる。
【００８２】
但し、図８に示す表示装置２００では、図１０や図１１に示すように携帯端末１００が備える音声通話用のマイク２０やレシーバ２２が表示装置２００の筐体やカバーで覆われて実質的に使えない場合がある。
【００８３】
このような場合、携帯端末１００は表示装置２００に収容されることで使用不能になる、該携帯端末１００が備える一部の機能を無効化してもよい。例えば携帯端末１００の無線通信機能（データ通信）は有効にしつつ、電話機能のみ無効化すればよい。電話機能を無効化する方法としては、例えば携帯端末１００を強制的に通話圏外に設定する方法、携帯端末１００に着信があってもユーザへ通知しない方法、あるいは携帯端末１００に対する着信時にユーザが通話できない状態であることを基地局や発呼側の電話機へ通知すると共に、着信処理を中断してユーザへ着信を通知しないモード（車両運定中に設定する運転モード等）に切り替える方法等がある。
【符号の説明】
【００８４】
１０、２１０    ＣＰＵ
１１、２１１    ＲＯＭ
１２、２１２    作業用メモリ
１３    無線機送受信部
１４    ＬＥＤ部
１５、２２０    バイブレータ
１６、２１５    キー入力部
１８、２１６    表示制御部
１９、２１７    表示部
２０、２１８    マイク
２１、２１９    スピーカ
２２    レシーバ
２３、２２１    電源制御部
２４、２１３    不揮発メモリ
２５    外部出力部
３０、２３０    バス
１００    携帯端末
１０１    二次電池
２００    表示装置
２１４    外部インタフェース部
【図１】
0005978615.tif 000002
【図２（ａ）】
0005978615.tif 000003
【図２（ｂ）】
0005978615.tif 000004
【図３】
0005978615.tif 000005
【図４】
0005978615.tif 000006
【図５】
0005978615.tif 000007
【図６】
0005978615.tif 000008
【図７】
0005978615.tif 000009
【図８】
0005978615.tif 000010
【図９】
0005978615.tif 000011
【図１０】
0005978615.tif 000012
【図１１】
0005978615.tif 000013